(57)【要約】本発明はデジタルマルチメディア放送システムで放送サービス受信装置及び方法を提供する。本発明の構成は、衛星デジタルマルチメディア放送(Ｄｉｇｉｔａｌ  Ｍｕｌｔｉｍｅｄｉａ  Ｂｒｏａｄｃａｓｔｉｎｇ：ＤＭＢ)システムと地上波ＤＭＢシステムを含む移動通信システムにおけるマルチメディア放送サービスの受信装置であって、衛星ＤＭＢシステムから受信された衛星放送信号を復調する衛星ＤＭＢモデムブロックと、衛星ＤＭＢモデムブロックと少なくとも一つの機能ブロックを共有し、地上波ＤＭＢシステムから受信された地上波放送信号を復調する地上波ＤＭＢモデムブロックと、衛星放送信号と前記地上波放送信号のＭＰＥＧ(Ｍｏｔｉｏｎ  Ｐｉｃｔｕｒｅ  Ｅｘｐｅｒｔｓ  Ｇｒｏｕｐ)伝送ストリームを区分してそれぞれデコーディングするＭＰＥＧデコーダとを含む。
2008512037.tif 000002
【特許請求の範囲】
【請求項１】
衛星デジタルマルチメディア放送(Ｄｉｇｉｔａｌ  Ｍｕｌｔｉｍｅｄｉａ  Ｂｒｏａｄｃａｓｔｉｎｇ：ＤＭＢ)システムと地上波ＤＭＢシステムを含む移動通信システムにおけるマルチメディア放送サービスの受信装置であって、
前記衛星ＤＭＢシステムから受信された衛星放送信号を復調する衛星ＤＭＢモデムブロックと、
前記衛星ＤＭＢモデムブロックと少なくとも一つの機能ブロックを共有し、前記地上波ＤＭＢシステムから受信された地上波放送信号を復調する地上波ＤＭＢモデムブロックと、
前記衛星放送信号と前記地上波放送信号のＭＰＥＧ(Ｍｏｔｉｏｎ  Ｐｉｃｔｕｒｅ  Ｅｘｐｅｒｔｓ  Ｇｒｏｕｐ)伝送ストリームを区分してそれぞれデコーディングするＭＰＥＧデコーダと、
を含むことを特徴とする前記装置。
【請求項２】
前記衛星ＤＭＢモデムブロックは、前記衛星放送信号をデインタリービングするデインタリーバと、前記デインタリービングされた衛星放送信号の誤り訂正のためのＲＳ(Ｒｅｅｄ-Ｓｏｌｏｍｏｎ)デコーダとを備えており、
前記共有される機能ブロックは、前記デインタリーバと前記ＲＳデコーダのうち少なくとも一つを含むことを特徴とする請求項１記載の前記装置。
【請求項３】
前記地上波放送信号は、前記衛星ＤＭＢモデムブロックの少なくとも一つの予備チャンネルを通じて受信されることを特徴とする請求項１記載の前記装置。
【請求項４】
前記地上波放送信号は、前記衛星ＤＭＢモデムブロックの少なくとも一つの特定チャンネルを通じて受信されることを特徴とする請求項１記載の前記装置。
【請求項５】
前記衛星ＤＭＢモデムブロックは、前記衛星放送信号の受信チャンネルと、前記地上波放送信号の受信チャンネルを選択的に出力する少なくとも一つのマルチプレクサを含むことを特徴とする請求項１記載の前記装置。
【請求項６】
前記地上波放送信号は、前記衛星ＤＭＢモデムブロックの受信チャンネルを通じて前記ＭＰＥＧデコーダに伝送されることを特徴とする請求項１記載の前記装置。
【請求項７】
前記地上波放送信号のヘッダーを前記衛星放送信号のヘッダーと他の任意の値に変更して前記受信チャンネルを通じて伝送するヘッダー変更部をさらに含むことを特徴とする請求項６記載の前記装置。
【請求項８】
前記地上波放送信号を複数のチャンネルを通じて受信する場合に、前記ヘッダー変更部がそのチャンネル個数に対応するように所定の個数で構成されることを特徴とする請求項７記載の前記装置。
【請求項９】
前記特定チャンネルを通じて前記衛星放送信号を受信すべきである場合に、前記衛星放送信号の受信チャンネルが前記衛星ＤＭＢモデムブロックの予備チャンネルに変更されるように前記衛星ＤＭＢモデムブロックを制御する制御手段をさらに含むことを特徴とする請求項４記載の前記装置。
【請求項１０】
前記制御手段は、前記衛星放送信号のパケット境界を検出した後に、前記予備チャンネルを通じて前記衛星放送信号を出力させることを特徴とする請求項９記載の前記装置。
【請求項１１】
衛星デジタルマルチメディア放送(ＤＭＢ)システムと地上波ＤＭＢシステムを含む移動通信システムにおけるマルチメディア放送サービスの受信方法であって、
無線網から前記衛星ＤＭＢシステムの衛星放送信号と前記地上波ＤＭＢシステムの地上波放送信号を同時に受信する段階と、
前記地上波放送信号の第１のＭＰＥＧ伝送ストリームヘッダーを前記衛星放送信号の第２のＭＰＥＧ伝送ストリームヘッダーと異なる所定値で変更する段階と、
前記地上波放送信号の第１のＭＰＥＧ伝送ストリームと前記衛星放送信号の第２のＭＰＥＧ伝送ストリームを区分してＭＰＥＧデコーディングする段階と、
を有することを特徴とする前記方法。
【請求項１２】
前記地上波放送信号は、受信器内の衛星ＤＭＢモデムブロックの少なくとも一つの予備チャンネルを通じて受信されることを特徴とする請求項１１記載の前記方法。
【請求項１３】
前記地上波放送信号は、受信器内の衛星ＤＭＢモデムブロックの少なくとも一つの特定チャンネルを通じて受信されることを特徴とする請求項１１記載の前記方法。
【請求項１４】
前記地上波放送信号は、受信器内の衛星ＤＭＢモデムブロックの受信チャンネルを通じて前記ＭＰＥＧデコーディングを遂行するデコーダに伝送されることを特徴とする請求項１１記載の前記方法。
【請求項１５】
前記地上波放送信号と前記衛星放送信号を受信器内の衛星ＤＭＢモデムブロックでバイトデインタリービングする段階をさらに有することを特徴とする請求項１１記載の前記方法。
【請求項１６】
前記地上波放送信号と前記衛星放送信号を受信器内の衛星ＤＭＢモデムブロックでＲＳデコーディングする段階をさらに有することを特徴とする請求項１５記載の前記方法。
【請求項１７】
前記特定チャンネルを通じて前記衛星放送信号を受信すべきである場合に、前記衛星放送信号の受信チャンネルが前記衛星ＤＭＢモデムブロックの予備チャンネルに変更される段階をさらに有することを特徴とする請求項１３記載の前記方法。
【請求項１８】
前記衛星放送信号のパケット境界を検出した後に、前記予備チャンネルを通じて前記衛星放送信号を出力させる段階をさらに有することを特徴とする請求項１７記載の前記方法。
【発明の詳細な説明】
【技術分野】
【０００１】
本発明は移動通信システムにおける放送受信装置及び方法に関して、特にデジタル放送システムを通じて伝送される衛星放送信号と地上波放送信号をすべて受信することができるデジタルマルチメディア放送(Ｄｉｇｉｔａｌ  Ｍｕｌｔｉｍｅｄｉａ  Ｂｒｏａｄｃａｓｔｉｎｇ：ＤＭＢ)受信装置及び方法に関するものである。
【背景技術】
【０００２】
一般に、移動端末は、個人が携帯して場所と時間に関係なく、音声通話を遂行する移動通信デバイスとして利用された。しかしながら、移動通信技術の発展により、移動端末は、音声データ及び/又はパケットデータを送受信することができる情報端末機として提供されている。情報端末機として提供可能な移動端末は、携帯電話、ＷＡＰ(Ｗｏｒｋ  Ａｎａｌｙｓｉｓ  Ｐｒｏｇｒａｍ)フォン、ＰＤＡ(Ｐｅｒｓｏｎａｌ  Ｄｉｇｉｔａｌ  Ａｓｓｉｓｔａｎｔｓ)、Ｗｅｂパッドを含む。個人サービス及び移動性を拡張して移動端末は、そのユーザーの数が一層増加している傾向にある。
【０００３】
マルチメディア技術の急速な発展は、移動端末を使用して音声データだけでなく高画質の静止画像又は動映像データを送受信できる付加サービスも可能にする。最近、サービス提供者によって提供される付加サービスが注目を浴びている。付加サービスは、映画、ニュース、スポーツ、株式、天気のような動映像情報を受信する放送サービスを含む。また、移動端末において、通話の成功率及び通話品質も注目されている。
【０００４】
放送サービスは、アナログ放送サービス及びデジタル放送サービスに区分される。デジタル放送は、従来のアナログ放送に比べて、高画質と高音質の向上したサービスをユーザーに提供できる。デジタル放送サービスは、高画質、高音質のサービスを提供するために、ＭＰＥＧ-２(Ｍｏｔｉｏｎ  Ｐｉｃｔｕｒｅ  Ｅｘｐｅｒｔｓ  Ｇｒｏｕｐ-２)方式又はＭＰＥＧ-４方式を用いて伝送前に高い圧縮率で放送トラフィックを圧縮して伝送する。
デジタル放送サービスは、データ情報量が大きいため、高い圧縮率を使用する。現在、デジタル放送サービスの代表的な例としてはＤＭＢサービスがある。
【０００５】
このＤＭＢサービスは、オーディオ、映像のような多様なマルチメディア信号をデジタル方式で放送することができる。例えば、ＤＭＢサービスは、ラジオ放送の場合に音声(例えば、オーディオ)放送からマルチメディア(例えば、オーディオ及び映像)放送に概念を拡張させ、オーディオ放送に加えて交通情報とニュース情報のような多様なマルチメディア情報を文字、グラフィック、動映像形態で伝送することが可能である。そして、ＤＭＢサービスは、多様なマルチメディアサービスを提供するために、動映像放送の場合に地上波放送、衛星放送、ケーブルＴＶのような既存のデジタル放送網との連動が可能である。また、このＤＭＢサービスは、ＩＴＳ(Ｉｎｔｅｌｌｉｇｅｎｔ  Ｔｒａｎｓｐｏｒｔａｔｉｏｎ  Ｓｙｓｔｅｍ)、ＧＰＳ(Ｇｌｏｂａｌ  Ｐｏｓｉｔｉｏｎｉｎｇ  Ｓｙｓｔｅｍ)と連動してテレマティックスサービスを提供できる。
特に、ＤＭＢサービスが固定端末だけでなく携帯電話、ＰＤＡ、車両用端末機のような移動端末を通じて高音質、高画質放送を提供するため、このＤＭＢサービスの利用が大幅増加することが予想される。ＤＭＢ放送サービスは、地上波ＤＭＢサービスと衛星ＤＭＢサービスに区分できる。ここで、地上波ＤＭＢサービスは、ギャップフィラーとして知られている地上波中継器を通じて放送サービスを提供する技術を呼ぶ。衛星ＤＭＢサービスは、地上波中継器及び/又は衛星中継器を通じて放送サービスを提供する技術を呼ぶ。
【０００６】
以下、衛星ＤＭＢサービスと地上波ＤＭＢサービスを提供する放送システムについて簡略に説明する。
図１は、一般的な衛星ＤＭＢサービスを提供するためのシステムの構成を示す。
図１を参照すると、地上の衛星ＤＭＢ放送センター１００は、ＤＭＢ衛星１０６に時分割多重化(Ｔｉｍｅ  Ｄｉｖｉｓｉｏｎ  Ｍｕｌｔｉｐｌｅｘ：ＴＤＭ)信号１０２又はコード分割多重化(Ｃｏｄｅ  Ｄｉｖｉｓｉｏｎ  Ｍｕｌｔｉｐｌｅｘ:ＣＤＭ)信号１０４を用いてＫｕバンド(１２GHz〜１３GHz)を通じて放送信号を伝送する。すると、ＤＭＢ衛星１０６は、この放送信号１０２，１０４を受信し、受信された信号１０２，１０４を直接に或いは地上波中継器(図示せず)又はギャップフィラー１０８によって更に地上の移動端末１１６に伝送する。
【０００７】
ＤＭＢ衛星１０６は、衛星ＤＭＢ放送センター１００から受信された放送信号１０２，１０４をＳバンド(２〜３GHz）のＣＤＭ信号１１２とＫｕバンドのＴＤＭ信号１１０に変換する。ＳバンドのＣＤＭ信号１１２は、移動端末１１６に直接送信され、ＫｕバンドのＴＤＭ信号１１０はギャップフィラー１０８に送信される。ＤＭＢ衛星１０６は、このＤＭＢ衛星１０６によって伝送された放送信号をサービス不能領域(すなわち、衛星放送信号を受信するのに不十分な領域)に提供するために、ギャップフィラー１０８に放送信号を伝送する。このサービス不能(ｕｎｓｅｒｖｉｃｅａｂｌｅ)領域は、“ギャップ”としても知られており、衛星信号が提供されなかったり、弱まったり、ノイズによって汚染されたり、反射されたりする地下、トンネル、及び他の領域を含む。ギャップフィラー１０８は、受信された放送信号をＳバンド信号１１４に変換してサービス不能領域で移動端末１１６に伝送する。
【０００８】
衛星ＤＭＢ放送システムに対して、地上波ＤＭＢシステムは、移動端末に放送信号を伝送する過程で、衛星ＤＭＢシステムのようにＤＭＢ衛星送信器を使用せずに地上波放送を送出するための放送送信塔(図示せず)を使用し、サービス不能領域にサービスを提供するために、個別サービス提供者のギャップフィラーを使用する。デジタル放送システムは、ヨーロッパ型デジタルオーディオ放送(Ｄｉｇｉｔａｌ  Ａｕｄｉｏ  Ｂｒｏａｄｃａｓｔｉｎｇ：ＤＡＢ)システムを基にする。ここで、“デジタル放送システム”とは、衛星ＤＭＢシステムと地上波ＤＭＢシステムをすべて意味する。
地上波ＤＭＢシステムは、ＯＦＤＭ(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ)伝送方式を使用し、複数の放送送信器を用いて単一周波数網(Ｓｉｎｇｌｅ  Ｆｒｅｑｕｅｎｃｙ  Ｎｅｔｗｏｒｋ：ＳＦＮ）を構成する。単一周波数網(ＳＦＮ）では、同一の周波数を用いて同一のデータ信号を同期して伝送する。複数の送信器によって伝送された放送信号は伝送タイミングが同期するため、この信号は、相互に干渉成分として作用せず、多重経路チャンネル効果を提供する。この多重経路チャンネル効果は、受信器である移動端末で受信信号の品質を向上させる。
【０００９】
以下、図２及び図３を参照して、一般的な衛星ＤＭＢシステムと地上波ＤＭＢシステムで移動端末に備えられるＤＭＢ受信装置を各々説明する。
図２は、一般的な衛星ＤＭＢ受信装置の構成を示すブロック構成図である。
衛星ＤＭＢシステムの場合、ＣＡＳ(Ｃｏｎｄｉｔｉｏｎａｌ  Ａｃｃｅｓｓ  Ｓｙｓｔｅｍ)情報を伝送するチャンネル、ＥＰＧ(Ｅｌｅｃｔｒｏｎｉｃ  Ｐｒｏｇｒａｍ  Ｇｕｉｄｅ)情報を伝送するチャンネル、放送トラフィックを伝送するチャンネル、及びパイロット情報を伝送するチャンネルが一般的に要求される。通常に、一つの放送トラフィックは２本のチャンネルを通じて伝送される。したがって、図２に示すように、ビットデインタリーバ２２０、畳み込み(ｃｏｎｖｏｌｕｔｉｏｎａｌ)デコーダ２３０、バイトデインタリーバ２４０、及びＲＳ(Ｒｅｅｄ-Ｓｏｌｏｍｏｎ)デコーダ２５０は、各々定められたチャンネル経路に提供されなければならない。
【００１０】
衛星ＤＭＢサービスを受信するためのＤＭＢ受信装置は、図２に示すように、ＤＭＢ衛星１０６又は地上波中継器に該当するギャップフィラー(ｇａｐ  ｆｉｌｌｅｒ)１０８から伝送された衛星放送信号をＣＤＭ(Ｃｏｄｅ  Ｄｉｖｉｓｉｏｎ  Ｍｕｌｔｉｐｌｅｘ)復調器２１０で受信する。ＣＤＭ復調器２１０は、受信された衛星放送信号を該当受信チャンネルのウォルシュコードを用いて復調(逆拡散)してビットデインタリーバ２２０に出力する。このとき、ＣＤＭ復調器２１０の出力は、受信チャンネルのウォルシュコード別にビットデインタリーバ２２０に提供される。ビットデインタリーバ２２０は、ビット当りバースト誤りを分散するために、受信された衛星放送信号をビット単位でデインタリービングする。
【００１１】
デインタリービングされた衛星放送信号は、畳み込みデコーダ２３０に入力される。畳み込みデコーダ２３０は、ビットデインタリーバ２２０から出力された畳み込み符号化された信号を誤り訂正した後に、バイトデインタリーバ２４０に出力する。バイトデインタリーバ２４０は、バイト当りバースト誤りを分散するために、畳み込みデコーダ２３０から出力された衛星放送信号をバイト単位でデインタリービングする。すなわち、バイトデインタリーバ２４０は、畳み込みデコーダ２３０が誤り訂正を遂行しなかった場合に発生されるバースト誤りを訂正する。
【００１２】
バイトデインタリーバ２４０から出力された衛星放送信号は、ＲＳデコーダ２５０に入力される。ＲＳデコーダ２５０は、パリティ(ｐａｒｉｔｙ)データを用いてデインタリービングされた受信信号の誤り信号を訂正した後、ＣＡＳ(Ｃｏｎｄｉｔｉｏｎａｌ  Ａｃｃｅｓｓ  Ｓｙｓｔｅｍ)２６０に出力する。ＣＡＳ２６０は、ＲＳデコーダ２５０から受信されたＣＡＳチャンネルの信号を用いて所定の受信認証過程を遂行する。このＣＡＳ２６０を通じて衛星放送信号の受信認証が正常に遂行された場合に、トラフィックチャンネルの衛星放送信号は出力インターフェース２７０を通じてＭＰＥＧデコーダ２８０に伝送される。ＭＰＥＧデコーダ２８０は、衛星放送サービス信号をデコーディングしてユーザーに提供する。
【００１３】
図３を参照して、地上波ＤＭＢ放送サービスを受信するための移動端末について説明する。
図３は、一般的な地上波ＤＭＢ受信装置の構成を示すブロック構成図である。
地上波ＤＭＢサービスを受信するための移動端末は、空中波を通じて伝送された地上波ＤＭＢ標準による無線信号(以下、“地上波放送信号”と称する)をアンテナ(図示せず)を通じて受信する。地上波放送信号は、ＯＦＤＭシンボルの形態で受信され、ＯＦＤＭ復調器３１１に入力される。ＯＦＤＭ復調器３１１は、受信されたＯＦＤＭシンボルから保護区間(ｇｕａｒｄ  ｉｎｔｅｒｖａｌ）を除去してフーリエ変換(Ｆａｓｔ  Ｆｏｕｒｉｅｒ  Ｔｒａｎｓｆｏｒｍ：ＦＦＴ)を遂行する。そして、復調された地上波放送信号は、ビットデインタリーバ３１２に入力される。ビットデインタリーバ３１２は、ビット当りバースト誤りを分散するために、ＯＦＤＭ復調器３１１から受信された地上波放送信号をビット単位でデインタリービングする。
【００１４】
畳み込み符号化された信号であるデインタリービングされた地上波放送信号は、畳み込みデコーダ３１３に入力される。畳み込みデコーダ３１３は、ビットデインタリーバ３１２から受信されるデインタリービングされた地上波放送信号を誤り訂正した後に、デマルチプレクサ３１５に出力する。デマルチプレクサ３１５は、畳み込みデコーダ３１３から受信された誤り訂正された地上波放送信号をオーディオ/データ情報とＭＰＥＧ信号に逆多重化する。したがって、オーディオ/データ情報は、出力インターフェース３２０を通じてオーディオ/データデコーダ３２１に入力される。オーディオ/データデコーダ３２１は、ＤＡＢ基盤の地上波放送サービス信号をデコーディングしてユーザーに提供する。
【００１５】
一方、ＭＰＥＧ信号は、デマルチプレクサ３１５からＭＰＥＧ ＴＳ(Ｔｒａｎｓｐｏｒｔ  Ｓｔｒｅａｍ)同期部３１４に入力される。ＭＰＥＧ ＴＳ同期部３１４は、ＭＰＥＧ  ＴＳのヘッダー情報に周期的に含まれる所定のコード情報“０x４７”を検索して同期を取るようになる。ＭＰＥＧ ＴＳ同期部３１４の出力は、バイトデインタリーバ３１６に入力される。バイトデインタリーバ３１６は、畳み込み符号化されたＭＰＥＧ信号をバイト単位でデインタリービングした後、ＲＳデコーダ３１７に出力する。ＲＳデコーダ３１７は、パリティデータを用いてデインタリービングされたＭＰＥＧ信号で誤り信号をデコーディングした後、出力インターフェース３１８を通じてＭＰＥＧデコーダ３１９に出力する。ＭＰＥＧデコーダ３１９は、ＭＰＥＧ信号から地上波放送サービス信号をデコーディングしてユーザーに提供する。
【００１６】
上記のように、衛星ＤＭＢ受信装置と地上波ＤＭＢ受信装置は、相互に異なる構成を有し、各々定められた標準により放送信号を受信する。したがって、衛星波及び地上波ＤＭＢサービスをともに受信するために、従来の移動端末で、地上波ＤＭＢ受信装置と衛星ＤＭＢ受信装置が要求され、その移動端末の構成は複雑になる。また、移動端末が、構成の複雑度を低減するための同一の機能を共有する地上波ＤＭＢ受信装置と衛星ＤＭＢ受信装置を含む場合に、移動端末は衛星放送信号と地上波放送信号を同時に受信できない。したがって、より簡単な構成で衛星放送信号と地上波放送信号を受信することができるＤＭＢ受信装置が要求される。また、衛星放送信号と地上波放送信号を同時に受信することができる簡単な構成のＤＭＢ受信装置が要求される。
【発明の開示】
【発明が解決しようとする課題】
【００１７】
したがって、本発明の目的は、デジタル放送システムにおいて地上波放送信号と衛星放送信号を同時に受信することができるＤＭＢ受信装置及び方法を提供することにある。
本発明の他の目的は、デジタル放送システムにおいて、簡単な構成で地上波放送信号と衛星放送信号をすべて受信するＤＭＢ受信装置及び方法を提供することにある。
【課題を解決するための手段】
【００１８】
上記の目的を達成するために本発明は、衛星デジタルマルチメディア放送(Ｄｉｇｉｔａｌ  Ｍｕｌｔｉｍｅｄｉａ  Ｂｒｏａｄｃａｓｔｉｎｇ：ＤＭＢ)システムと地上波ＤＭＢシステムを含む移動通信システムにおけるマルチメディア放送サービスの受信装置であって、前記衛星ＤＭＢシステムから受信された衛星放送信号を復調する衛星ＤＭＢモデムブロックと、前記衛星ＤＭＢモデムブロックと少なくとも一つの機能ブロックを共有し、前記地上波ＤＭＢシステムから受信された地上波放送信号を復調する地上波ＤＭＢモデムブロックと、前記衛星放送信号と前記地上波放送信号のＭＰＥＧ(Ｍｏｔｉｏｎ  Ｐｉｃｔｕｒｅ  Ｅｘｐｅｒｔｓ  Ｇｒｏｕｐ)伝送ストリームを区分してそれぞれデコーディングするＭＰＥＧデコーダとを含むことを特徴とする。
【００１９】
また、本発明は、衛星デジタルマルチメディア放送(ＤＭＢ)システムと地上波ＤＭＢシステムを含む移動通信システムにおけるマルチメディア放送サービスの受信方法であって、無線網から前記衛星ＤＭＢシステムの衛星放送信号と前記地上波ＤＭＢシステムの地上波放送信号を同時に受信する段階と、前記地上波放送信号の第１のＭＰＥＧ伝送ストリームヘッダーを前記衛星放送信号の第２のＭＰＥＧ伝送ストリームヘッダーと異なる所定値で変更する段階と、前記地上波放送信号の第１のＭＰＥＧ伝送ストリームと前記衛星放送信号の第２のＭＰＥＧ伝送ストリームを区分してＭＰＥＧデコーディングする段階とを有することを特徴とする。
【発明の効果】
【００２０】
本発明によるＤＭＢ受信装置は、衛星放送信号と地上波放送信号を同時に受信するために、衛星ＤＭＢモデムと地上波ＤＭＢモデムを個別的に構成せず、一部要素を共有するように構成することによって、その構成の複雑度を低減することができる。したがって、ＤＭＢ受信装置は、簡単な構成で衛星放送信号と地上波放送信号のＭＰＥＧ伝送ストリームを区分してデコーディングすることができる効果がある。
【発明を実施するための最良の形態】
【００２１】
以下、本発明の望ましい実施形態を添付の図面を参照して詳細に説明する。
下記に、本発明に関連した公知の機能又は構成に関する具体的な説明が本発明の要旨を不明にすると判断された場合に、その詳細な説明を省略する。
【００２２】
本発明は、下記のような３つの実施形態を参照して説明する。
第１の実施形態は、一つのＤＭＢ受信装置を通じて衛星放送信号と地上波放送信号を同時に受信するが、衛星モデムを用いて衛星放送信号を受信し、衛星ＤＭＢモデムで使用しない予備チャンネルを用いて地上波放送信号を受信する。第２の実施形態は、地上波放送信号の受信可能なチャンネル個数を増加させる。第３の実施形態は、衛星ＤＭＢモデムの特定チャンネルを使用して地上波放送信号を受信するが、衛星ＤＭＢモデムでその特定チャンネルを使用しようとする場合に、該当衛星放送信号を予備チャンネルを通じて受信する。
【００２３】
以下、添付の図面を参照して本発明の実施形態を詳細に説明する。
図４は、本発明の実施形態に係るＤＭＢ受信装置の構成を示すブロック構成図である。同図で、図２及び図３の構成と同一の構成については、その詳細な説明を省略する。
図４で、衛星放送信号を受信する衛星ＤＭＢモデムブロックは、ＣＡＳ情報、ＥＰＧ(Ｅｌｅｃｔｒｏｎｉｃ  Ｐｒｏｇｒａｍ  Ｇｕｉｄｅ)情報、放送トラフィック、パイロット情報を受信する複数のチャンネルを含む。そして、本発明で放送トラフィックを受信するチャンネルは、少なくとも一つの衛星放送信号を受信するための少なくとも２本のチャンネルと、少なくとも一つの地上波放送信号を受信するための少なくとも１本のチャンネルで構成される。したがって、図４のように、衛星ＤＭＢモデムブロックに含まれたビットデインタリーバ４１１、畳み込みデコーダ４１２、マルチプレクサ４１３、バイトデインタリーバ４１４、及びＲＳデコーダ４１５は、要求されるチャンネルの個数に対応するように備えられる。
【００２４】
図４を参照して、ＤＭＢ受信装置は、衛星ＤＭＢモデムブロックのビットデインタリーバ４１１、畳み込みデコーダ４１２と、地上波ＤＭＢモデムブロックのビットデインタリーバ４２０、畳み込みデコーダ４２１は、それぞれ区分して構成し、衛星ＤＭＢモデムブロックのバイトデインタリーバ４１４、ＲＳデコーダ４１５は、地上波ＤＭＢモデムブロックと共有するように構成する。これは、ビットデインタリーバ４１１，４２０と畳み込みデコーダ４１２，４２１は衛星ＤＭＢ方式と地上波ＤＭＢ方式が相互に異なり、バイトデインタリーバ４１４とＲＳデコーダ４１５は衛星ＤＭＢ方式と地上波ＤＭＢ方式が相互に同一なためである。したがって、本発明では、上記のように衛星ＤＭＢサービスと地上波ＤＭＢサービスを同時に受信可能なように構成し、且つ衛星ＤＭＢモデムブロックと地上波ＤＭＢモデムブロックが一部同一の機能を共有するように構成することで、ＤＭＢ受信装置をより簡素に構成することができる。
【００２５】
また、本発明において、衛星放送信号と地上波放送信号を同時に受信可能なＤＭＢ受信装置は、衛星ＤＭＢモデムブロックの畳み込みデコーダ４１２とバイトデインタリーバ４１４との間にマルチプレクサ４１３を接続して構成される。図４で、マルチプレクサ４１３は、衛星ＤＭＢモデムのチャンネル個数に対応するように構成されるが、ＤＭＢ受信装置は、予備チャンネルが割り当てられうる特定のチャンネル経路に少なくとも一つのマルチプレクサを接続して構成することも可能である。
【００２６】
本発明では、望ましくＤＭＢ受信装置を簡素に構成するように共有されるバイトデインタリーバ４１４の前端にマルチプレクサ４１３を接続した。しかしながら、地上波ＤＭＢモデムブロックが衛星ＤＭＢモデムブロックとバイトデインタリーバ４１４を共有しなく、或いはバイトデインタリーバ４１４、ＲＳデコーダ４１５のすべてを共有しない場合に、本発明は、マルチプレクサ４１３をＲＳデコーダ４１５の前端又は後端に位置させることも可能である。
【００２７】
図４の構成において、制御器(図示せず)は、衛星放送信号と地上波放送信号を同時に受信する所定モードの設定を認識し、以後に受信される地上波放送信号は、衛星ＤＭＢモデムブロックの予備チャンネルを用いて受信するように地上波ＤＭＢモデムと衛星ＤＭＢモデムブロックを接続するマルチプレクサ４１３を制御する。ここで、同時受信モードの設定は、表示部(図示せず)に複数の画面をディスプレーするよく知らされているＰＩＰ(Ｐｉｃｔｕｒｅ  Ｉｎ  Ｐｉｃｔｕｒｅ)機能を通じて実現されることができる。ＰＩＰ機能は、当業者には自明なことであるので、その詳細な説明を省略する。
【００２８】
同時受信モードが設定された場合に、地上波放送信号は、図４のすべてのマルチプレクサ４１３に入力されるが、制御器は、予備チャンネルの経路に位置したマルチプレクサ４１３を通じて地上波放送信号を選択して出力させ、残りのマルチプレクサ４１３を通じては地上波放送信号の出力を遮断させる。すなわち、衛星ＤＭＢモデムブロックは、該当ウォルシュコードを用いてチャンネルデコーディングを遂行するため、制御器は、ＣＤＭ復調器４１０を通じて衛星放送信号の受信に使用されるウォルシュコードとそのチャンネル経路を決定し、衛星放送信号の受信に使用されないチャンネルを予備チャンネルに設定して地上波放送信号を受信するようにマルチプレクサ４１３を制御する。
しかしながら、２つの異なる形態の放送信号(すなわち、衛星放送信号及び地上波放送信号)がＭＰＥＧデコーダ４１８に入力されると、ＭＰＥＧデコーダ４１８は、２つの伝送ストリーム(Ｔｒａｎｓｐｏｒｔ  Ｓｔｒｅａｍ：ＴＳ）を区別できない。これは、衛星放送信号と地上波放送信号がすべて周期的に所定ヘッダー情報“０x４７”を含むＭＰＥＧ  ＴＳで伝送されるためである。
【００２９】
以下に、本発明で衛星放送信号と地上波放送信号のＭＰＥＧ  ＴＳを区分して受信する特徴について説明する。
まず、地上波ＤＭＢモデムブロックのデマルチプレクサ４２２は、畳み込みデコーダ４２１から受信された地上波信号をオーディオ/データとＭＰＥＧ信号に分ける。オーディオ/データは、従来の方法により、出力インターフェース４２３を通じてオーディオ/データデコーダ４２４に入力される。ＭＰＥＧ信号は、デマルチプレクサ４２２からＭＰＥＧ ＴＳ同期部４２５に入力される。ＭＰＥＧ ＴＳ同期部４２５は、ＭＰＥＧ  ＴＳの周期的なヘッダー情報“０x４７”を検索して同期する。ＭＰＥＧ ＴＳ同期部４２５の出力は、ＴＳヘッダー変更部４２６に伝送され、ＴＳヘッダー変更部４２６は、地上波放送信号でＭＰＥＧ  ＴＳヘッダーを予め定められた値を用いて変更させる。
ＭＰＥＧ ＴＳヘッダーを所定の値(例えば、“０x４７”)を用いて変更することは、地上波ＤＭＢサービスと衛星ＤＭＢサービスで後述するＲＳデコーダによって相互に区分するためにこれらのＭＰＥＧ伝送ストリームで衛星サービスのＭＰＥＧ ＴＳヘッダーの値と異なるパターンに変更することを意味する。
【００３０】
変更されたＭＰＥＧ ＴＳヘッダーの値を含む地上波放送信号は、マルチプレクサ４１３に伝達される。移動端末の制御器(図示せず)は、予備チャンネルと接続されたマルチプレクサ４１３を制御して地上波放送信号を選択して出力させ、残りのマルチプレクサ４１３を通じて地上波放送信号の出力を遮断させ、衛星放送信号を出力させる。
【００３１】
バイトデインタリーバ４１４は、畳み込み符号化された衛星放送信号と地上波放送信号のＭＰＥＧ  ＴＳをバイト単位でデインタリービングした後に、ＲＳデコーダ４１５に出力する。ＲＳデコーダ４１５は、デインタリービングされたＭＰＥＧ伝送ストリームの誤り信号を復旧し、誤りが復旧された衛星放送信号と地上波放送信号のＭＰＥＧ伝送ストリームは、出力インターフェース４１７を通じてＭＰＥＧデコーダ４１８に出力される。
【００３２】
一方、ＲＳデコーダ４１５は、ＭＰＥＧ伝送ストリームのヘッダーに“０x４７”又は他のパターンが含まれるかに関係なく、“０x４７”ヘッダーの計算を遂行する。ここで、ＲＳデコーダ４１５は、“０x４７”と他のパターンに変更された地上波放送信号のＭＰＥＧ ＴＳヘッダーを誤りヘッダーとして認識して訂正できる。したがって、地上波ＤＭＢの信号と衛星ＤＭＢの信号を同時に受信する場合に、ＲＳデコーダ４１５は、ＴＳヘッダー変更部４２６によって変更した所定の値に対しては訂正しないように設定しなければならない。これは、ＲＳデコーダ４１５の誤り訂正性能を維持するためである。
【００３３】
ＣＡＳ４１６は、ＣＡＳ情報を用いて受信認証を遂行した後に、この受信認証が正常に遂行され、或いは受信制限が設定されていない場合に、ＲＳデコーダ４１５を通じて誤り訂正されたＭＰＥＧ伝送ストリームをＭＰＥＧデコーダ４１８に伝送する。受信制限機能は、衛星ＤＭＢサービスで提供される各種有料チャンネルを制御し、無許可チャンネル(ｕｎａｕｔｈｏｒｉｚｅｄ  ｃｈａｎｎｅｌ)視聴を防止するために使用される。言い換えれば、この受信制限機能は、ユーザーが加入されていない無許可チャンネル(例えば、有料視聴チャンネルなど)視聴を防止する。ＭＰＥＧデコーダ４１８は、ＭＰＥＧ ＴＳヘッダーが異なるヘッダーパターンで始まるＭＰＥＧ伝送ストリームを地上波放送信号として認識して衛星放送信号と区分してデコーディングすることができる。
【００３４】
図５は、本発明の他の実施形態に係るＤＭＢ受信装置の構成を示すブロック構成図である。これは、地上波放送信号の同時受信可能なチャンネルの個数を増加したものである。
地上波ＤＭＢサービスは、一つの周波数帯域に複数チャンネルの放送信号を時分割して伝送できる。２本の地上波チャンネルが同時に受信される場合に、ＤＭＢ受信装置は、図５に示すように、ＭＰＥＧ ＴＳ同期部５２５，５２７とＴＳヘッダー変更部５２６，５２８を追加で含む。図５の実施形態でも、図４の実施形態と同様に、衛星ＤＭＢモデムブロックで予備チャンネルを用いて地上波放送信号を受信すべく、ＭＰＥＧデコーダ５１８で放送信号の区分のために相互に異なるパターンのヘッダーを有するＭＰＥＧ  ＴＳを形成すべきである。
【００３５】
すなわち、図４及び図５の実施形態で、すべてバイトデインタリーバ４１４，５１４は、マルチプレクサ４１３，５１３を通じて衛星放送信号又は地上波放送信号を選択的に受信するように構成し、予備チャンネル(衛星放送信号を受信しないチャンネル)を用いて地上波放送信号を受信する方式である。また、図５を参照すると、衛星ＤＭＢモデムブロックのビットデインタリーバ５１１、畳み込みデコーダ５１２と、地上波ＤＭＢモデムブロックのビットデインタリーバ５２０、畳み込みデコーダ５２１がそれぞれ提供され、衛星ＤＭＢモデムブロックのバイトデインタリーバ５１４、ＲＳデコーダ５１５は、地上波ＤＭＢモデムブロックと共有する。
【００３６】
図５の構成で、２本のチャンネルの地上波放送信号を同時に受信する場合に、地上波ＤＭＢモデムブロックのデマルチプレクサ５２２は、畳み込みデコーダ５２１から受信された２本のチャンネルの地上波放送信号をオーディオ/データとＭＰＥＧ伝送ストリームに分類する。そして、デマルチプレクサ５２２は、ＭＰＥＧ伝送ストリームのうちいずれか一つのチャンネルの地上波放送信号(第１のＤＭＢデータ）を第１のＭＰＥＧ ＴＳ同期部５２５に伝送し、他のチャンネルの地上波放送信号(第２のＤＭＢデータ）を第２のＭＰＥＧ ＴＳ同期部５２７に伝送する。
第１及び第２のＭＰＥＧ ＴＳ同期部５２５，５２７は、各々該当チャンネルのＭＰＥＧ  ＴＳから周期的なヘッダー情報“０x４７”を検索して同期を合せる。第１のＭＰＥＧ ＴＳ同期部５２５を通じて同期されたチャンネルのＭＰＥＧ  ＴＳは、第１のＴＳヘッダー変更部５２６に伝送されてＭＰＥＧ ＴＳヘッダーが“０x４７”でなく予め定められた値で変更される。第２のＭＰＥＧ ＴＳ同期部５２７を通じて同期が取られた他のチャンネルのＭＰＥＧ  ＴＳも、第２のＴＳヘッダー変更部５２８に伝送されて該当ＭＰＥＧ ＴＳヘッダーが予め定められた値で変更される。
【００３７】
第１及び第２のＴＳヘッダー変更部５２６，５２８から出力された２本のチャンネルの地上波放送信号は、すべてのマルチプレクサ５１３に印加される。移動端末の制御器(図示せず)は、予備チャンネルと接続された２個のマルチプレクサ５１３を制御して２本のチャンネルの地上波放送信号を選択して各々出力させ、残りのマルチプレクサ４１３を通じて地上波放送信号の出力を遮断させ、その衛星放送信号を出力させる。図５のＲＳデコーダ５１５は、ＭＰＥＧ伝送ストリームのヘッダーに“０x４７”又は他のパターンを含むかに関係なく、“０x４７”ヘッダーの計算を遂行してＭＰＥＧ伝送ストリームの誤りを訂正し、誤り訂正された衛星放送信号及び/又は地上波放送信号のＭＰＥＧ伝送ストリームは、ＣＡＳ５１６と出力インターフェース５１７を通じてＭＰＥＧデコーダ５１８に伝達される。
そして、ＭＰＥＧデコーダ５１８は、受信されたＭＰＥＧ伝送ストリームのヘッダーを分析して衛星放送信号と地上波放送信号を区分してデコーディングする。
【００３８】
以下、図７Ａ及び図７Ｂを参照して、図４及び図５の実施形態による予備チャンネルを用いる本発明のＤＭＢ受信方法を説明する。また、図７Ａ及び図７Ｂは、同時受信モードで地上波ＤＭＢの受信手順をより詳細に示すフローチャートである。衛星ＤＭＢの受信段階は前述したので、その詳細な説明を省略する。
【００３９】
まず、ステップＳ７０１で、移動端末の制御器(図示せず)は、衛星ＤＭＢサービスと地上波ＤＭＢサービスの同時受信モードが設定されたか否かを判定する。ここで、本発明の移動端末は、図４及び図５に示すように、衛星放送信号を受信する衛星ＤＭＢモデムブロックと、地上波放送信号を受信する地上波ＤＭＢモデムブロックを含むため、衛星ＤＭＢサービスと地上波ＤＭＢサービスを選択的に受信し、或いは同時に受信することが可能である。上記のような同時受信モードの設定は、移動端末の制御器を通じて遂行され、図４及び図５の構成でＤＭＢ受信モードの選択のためのユーザーインターフェースは、当業者には容易な事項である。
したがって、移動端末のユーザーは、制御器を通じて提供される所定の画面インターフェースを用いて衛星ＤＭＢ受信モードと、地上波ＤＭＢ受信モードを選択できることはもちろん、同時受信モードを選択することもできる。
【００４０】
ステップＳ７０１で、同時受信モードが設定されない場合に、制御器は、ステップＳ７０３で、選択された受信モードにより衛星ＤＭＢモデムブロック又は地上波ＤＭＢモデムブロックを用いて衛星放送信号を受信し、或いは地上波放送信号を受信する。地上波ＤＭＢ受信モードで、図４及び図５で、バイトデインタリービングとＲＳデコーディングは衛星ＤＭＢモデムで該当構成要素を利用する。
【００４１】
しかしながら、ステップＳ７０１で同時受信モードが設定された場合に、ステップＳ７０５で、ＯＦＤＭ復調器４１９，５１９は、ＯＦＤＭシンボルで伝送される地上波放送信号から保護区間を除去し、ＦＦＴ処理を遂行する復調動作を遂行する。以後、ステップＳ７０７で、ビットデインタリーバ４２０，５２０は、ＯＦＤＭ復調器４１９，５１９から受信された地上波放送信号をビット単位でデインタリービングする。ステップＳ７０９で、畳み込みデコーダ４２１又は５２１は、デインタリービングされた地上波放送信号をチャンネルデコーディングして誤り訂正を遂行する。そして、ステップＳ７１１で、デマルチプレクサ４２２，５２２は、畳み込みデコーダ４２１，５２１から受信された誤り訂正された地上波放送信号をオーディオ/データとＭＰＥＧ  ＴＳに逆多重化する。ＭＰＥＧ  ＴＳは、デマルチプレクサ４２２，５２２からＭＰＥＧ ＴＳ同期部に入力される。
【００４２】
ＭＰＥＧ ＴＳは、図４のように一つのチャンネルを受信する場合に単一のＭＰＥＧ  ＴＳ同期部４２５に印加され、図５のように複数のチャンネルを受信する場合に複数のＭＰＥＧ  ＴＳ同期部５２５，５２７に印加される。ＭＰＥＧ  ＴＳ同期部４２５又は５２５，５２７は、ステップＳ７１３で、ＭＰＥＧ  ＴＳヘッダーから周期的に伝送される所定のコード情報“０x４７”を検索して同期を合せる。ＭＰＥＧ ＴＳ同期部４２５又は５２５，５２７の出力は、ＴＳヘッダー変更部４２６又は５２６，５２８に伝送される。
【００４３】
ステップＳ７１５で、ＴＳヘッダー変更部４２６又は５２６，５２８は、地上波放送信号と衛星放送信号の区分のためにＭＰＥＧ伝送ストリームのヘッダーを予め定められた値で変更させる。この変更されたＭＰＥＧ ＴＳヘッダーの値を含む地上波放送信号は、ステップＳ７１７で、衛星ＤＭＢモデムのすべてのチャンネル経路上のマルチプレクサ４１３又は５１３に伝達される。移動端末の制御器は、ステップＳ７１９で、予備チャンネルの存在を確認する。予備チャンネルが存在しない場合に、ステップＳ７２１で、地上波ＤＭＢサービスの受信不能を示すメッセージを移動端末の表示部(図示せず)にディスプレーする。
一方、ステップＳ７１９の予備チャンネル検出過程は、ステップＳ７０１の同時受信モードの設定過程により遂行することが望ましい。
【００４４】
しかしながら、ステップＳ７１９で予備チャンネルが存在すると、ステップ７２３で、制御器は、マルチプレクサ４１３，５１３を制御して予備チャンネルの経路を通じて受信される地上波放送信号を選択して出力させ、残りのマルチプレクサ４１３，５１３を通じて地上波放送信号の出力を遮断させ、地上波及び衛星放送信号を出力させる。その後、ステップＳ７２５で、バイトデインタリーバ４１４，５１４は、各チャンネル経路を通じて受信される地上波放送信号と衛星放送信号のＭＰＥＧ  ＴＳをバイト単位でデインタリービングする。
【００４５】
ステップＳ７２７で、ＲＳデコーダ４１５，５１５は、ＭＰＥＧ伝送ストリームのヘッダーに“０x４７”又は他のパターンを含むかに関係なく、ＭＰＥＧ  ＴＳの誤りを訂正し、誤りが訂正されたＭＰＥＧ伝送ストリームはＣＡＳ４１６，５１６と出力インターフェース４１７，５１７を通じてＭＰＥＧデコーダ４１８，５１８に伝達される。したがって、ステップＳ７２９で、ＭＰＥＧデコーダ４１８，５１８は、受信されたＭＰＥＧ  ＴＳのヘッダー情報を分析して衛星放送信号と地上波放送信号を区分してデコーディングすることができる。
【００４６】
図６は、本発明のまた他の実施形態に係るＤＭＢ受信装置の構成を示すブロック構成図である。これは、予備チャンネルを用いることなく、衛星ＤＭＢモデムの特定チャンネルを用いて地上波放送信号を受信するＤＭＢ受信装置の構成を示す。
したがって、図６の構成を説明すると、マルチプレクサ６２６は、衛星ＤＭＢモデムブロックのすべてのチャンネル経路に接続されるのではなく、地上波ＤＭＢモデムブロックから放送信号を受信する特定のチャンネル経路のみに接続されていることが分かる。しかしながら、衛星ＤＭＢモデムの特定チャンネルを通じて衛星放送信号を受信しなければならない場合に、地上波放送信号が受信できない。本実施形態では、その衛星放送信号を衛星ＤＭＢモデムの予備チャンネルを通じて受信することによって、データの損失なしに衛星放送信号と地上波放送信号を同時に受信可能になる。
【００４７】
このために、出力制御部６１５は、予備チャンネルに設定された特定のチャンネル出力を禁止し、そのチャンネル出力を禁止するセッティングをＭＰＥＧ  ＴＳの入力パケットの境界で変更するように構成される。このように本実施形態では、特定チャンネルを通じて受信すべき衛星放送信号の受信経路を予備チャンネルに変更できる。出力制御部６１５は、受信チャンネルが変更された衛星放送信号のパケット衝突/損失を防止するために、予備チャンネルの出力を入力パケットの境界まで禁止する。
【００４８】
図８は、衛星放送信号の受信チャンネルを予備チャンネルに変更する手順を示すフローチャートである。図８を参照して、図６の実施形態をより詳細に説明する。
ステップＳ８０１で、移動端末の制御器は、衛星ＤＭＢモデムの特定チャンネルを地上波ＤＭＢ受信チャンネルに設定する。地上波放送信号は、特定チャンネルのみを通じて受信すると仮定する。ステップＳ８０３で、特定チャンネルを通じて衛星放送信号を受信すべきである場合に、ステップＳ８０５で、出力制御部６１５は、衛星放送信号のデータ損失を防止するように該当予備チャンネルの出力を禁止させる。そして、ステップＳ８０７で、制御器は、予備チャンネルを通じて特定チャンネルに伝送される衛星放送信号を同時に受信するようにＤＭＢ受信装置を制御する。このために、制御器は、ＣＤＭ復調器６１０を制御して特定チャンネルと同一のウォルシュコードを予備チャンネルに割り当てる。出力制御部６１５は、移動端末の制御器に含んで構成し、或いは別途に構成することが可能である。このとき、予備チャンネルの地上波放送信号の出力は禁止された状態であるが、制御器は、ステップＳ８０７で、その予備チャンネルを通じて衛星放送信号を受信する。
ステップＳ８０９で、出力制御部６１５は、衛星放送信号が至ったか否かを判定する。衛星放送信号が出力制御部６１５に至った場合に、出力制御部６１５は、衛星放送信号を伝送するＭＰＥＧ  ＴＳのパケット境界を確認する。その結果、パケット境界である場合に、出力制御部６１５は、特定チャンネルを通じた衛星放送信号の受信と出力を防ぎ、予備チャンネルを通じて衛星放送信号を伝送する。
【００４９】
以上、本発明の詳細な説明においては具体的な実施形態に関して説明したが、特許請求の範囲を外れない限り、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００５０】
【図１】一般的な衛星ＤＭＢシステムの構成図である。
【図２】一般的な衛星ＤＭＢ受信装置の構成を示すブロック構成図である。
【図３】一般的な地上波ＤＭＢ受信装置の構成を示すブロック構成図である。
【図４】本発明の実施形態に係るＤＭＢ受信装置の構成を示すブロック構成図である。
【図５】本発明の他の実施形態に係るＤＭＢ受信装置の構成を示すブロック構成図である。
【図６】本発明のまた他の実施形態に係るＤＭＢ受信装置の構成を示すブロック構成図である。
【図７Ａ】本発明の実施形態に係る同時受信モードでＤＭＢ受信方法を示すフローチャートである。
【図７Ｂ】本発明の実施形態に係る同時受信モードでＤＭＢ受信方法を示すフローチャートである。
【図８】本発明の実施形態に係る衛星放送信号の受信チャンネルを予備チャンネルに変更する手順を示すフローチャートである。
【符号の説明】
【００５１】
４１０，５１０，６１０  ＣＤＭ復調器
４１１，４２０，５１１，５２０，６１１，６２０  ビットデインタリーバ
４１２，４２１，５１２，５２１，６１２，６２１  畳み込みデコーダ
４１３，５１３，６２６  マルチプレクサ
４１４，５１４，６１３  バイトデインタリーバ
４１５，５１５，６１４  ＲＳデコーダ
４１６，５１６，６１６  ＣＡＳ
４１７，５１７，５２３，６１７，６２３  出力インターフェース
４１８，５１８，６１８  ＭＰＥＧデコーダ
４１９，５１９，６１９  ＯＦＤＭ復調器
４２２，５２２，６２２  デマルチプレクサ
４２５，６２４  ＭＰＥＧ  ＴＳ同期部
４２６，６２５  ＴＳヘッダー変更部
４２３  出力インターフェース
４２４，５２４，６２４  オーディオ/データデコーダ
５２５  第１のＭＰＥＧ  ＴＳ同期部
５２６  第１のＴＳヘッダー変更部
５２７  第２のＭＰＥＧ  ＴＳ同期部
５２８  第２のＴＳヘッダー変更部
６１５  出力制御部
【図１】
2008512037.tif 000003
【図２】
2008512037.tif 000004
【図３】
2008512037.tif 000005
【図４】
2008512037.tif 000006
【図５】
2008512037.tif 000007
【図６】
2008512037.tif 000008
【図７Ａ】
2008512037.tif 000009
【図７Ｂ】
2008512037.tif 000010
【図８】
2008512037.tif 000011
【国際調査報告】
2008512037.tif 000012
2008512037.tif 000013